(57)【特許請求の範囲】
【請求項１】
ピボット筒体（10）の回転をガイドするための上側ローラベアリング（2）及び下側ローラベアリング（18）を含み、前記各ローラベアリング（2,18）は、自転車のフレーム（12）の一部を形成するステアリングソケット（11）の上端と下端にそれぞれ設けられた環状凹部（14,19）に収容され、かつ前記各ローラベアリング（2,18）がそれぞれと組み合う各リング（3,24）の支持表面上に支持されており、さらに、前記ステアリングソケット（11）の上方で前記ピボット筒体（10）の回りに配置された端部リング（6）を含んでいる、自転車用ステアリングセットであって、
少なくとも１つの前記ローラベアリング（2,18）は、
一面側に、前記各ローラベアリング（2,18）の支持表面（30）と相補的な円錐表面を形成する第１支持表面（28）を有し、他面側には、前記各環状凹部（14,19）の底面の表面に相補的な形状の第２支持表面（31）を有するリング形状の各アダプター（26,27）と組み合って、前記各環状凹部（14,19）の高さを調整し、異なる高さを有する前記各ローラベアリング（2,18）が前記各環状凹部（14,19）に適合するようにしたことを特徴とする自転車用ステアリングセット。
【請求項２】
前記アダプター（26,27）は、その周縁部に軸方向伸長カラー（29）を含み、この軸方向伸長カラーは、前記各ローラベアリング（2,18）に対する第１支持表面（28）を有することを特徴とする請求項１に記載の自転車用ステアリングセット。
【請求項３】
前記アダプター（26,27）は、分割されていることを特徴とする請求項１または２に記載の自転車用ステアリングセット。
【請求項４】
前記アダプター（26,27）は、前記各ローラベアリング（2,18）と組み合うことを特徴とする請求項１〜３のいずれか１項に記載の自転車用ステアリングセット。
【請求項５】
ステアリングソケット（11）の上端と下端にそれぞれ設けられ、ピボット筒体（10）の回転をガイドするための各ローラベアリング（2,18）を収容する環状凹部（14,19）の底部に配置される各リング（26,27）によって構成され、
一面側に、前記各ローラベアリング（2,18）の支持表面（30）と相補的な円錐表面を形成する第１支持表面（28）を有し、他面側には、前記各環状凹部（14,19）の底面の表面に相補的な形状の第２支持表面（31）を有していて、
異なる高さを有する前記各ローラベアリング（2,18）に対する前記各環状凹部（14,19）の高さを調整し、異なる高さを有する前記各ローラベアリングが前記各環状凹部（14,19）に適合するようにしたことを特徴とする自転車用ステアリングセットのためのアダプター。
【請求項６】
前記アダプター（26,27）は、その周縁部に、ローラベアリング（2,18）に対する支持表面を有する軸方向伸長カラー（29）を形成することを特徴とする請求項５に記載のアダプター。
【請求項７】
前記アダプター（26,27）を形成するリングは、分割されていることを特徴とする請求項５または６に記載のアダプター。
【発明の詳細な説明】
【０００１】
【発明の属する技術分野】
本発明は、自転車（二輪車）用ステアリングセットおよびこのステアリングセットのためのアダプターに関する。本発明のステアリングセットは、自転車のステアリングソケット内のローラベアリングを備えている形式のものである。
【０００２】
【従来の技術】
このようなステアリングセットは、よく知られており、自転車フレームのステアリングソケット内に配置されたピボット筒体の回転をガイドするための下側ローラベアリングと上側ローラベアリングを含んでいる。これらのローラベアリングは、ステアリングソケット内の肩部によってその範囲が定められた各凹部内に配置されている。ハンドルバーを支えるステアリングポストは、ピボット筒体の上側部分に固定され、また、ステアリングソケットに各部材が取付けられるとき、アセンブリの軸方向移動を阻止する働きをする。ピボット筒体の反対側端部には、フォークヘッドがピボット筒体上で回転可能に取り付けられており、これはアセンブリの軸方向接合手段として働く。
【０００３】
この構成は、比較的堅固であり、一方、ペダル操作中、ハンドルバーを容易に操縦することができる。しかし、ステアリングソケットの内部は、特別に加工されて、凹部に所定高さを有するローラベアリングを収容できるが、そのため、ローラベアリングの選択は、その製造業者のローラベアリングに限られる。それゆえ、このベアリングを、異なる高さを有する他のローラベアリングに置き換えることは不可能である。また、一方で、ステアリングソケット内に加工されたベアリング表面の劣化または磨耗を防止できるように構成されていない。
【０００４】
【発明が解決しようとする課題】
このような欠点を解決するために、本発明は、製造業者によって最初に組み込まれたローラベアリング以外の他のベアリングを取付可能にする要素を含み、かつステアリングセットの所定部品の磨耗を克服できるステアリングセットおよびアダプターを提供することを目的としている。
【０００５】
【課題を解決するための手段】
上記目的を達成するために、本発明は、各請求項に記載の構成を有する。本発明は、ピボット筒体の回転をガイドするための上側ローラベアリング及び下側ローラベアリングを含み、各ローラベアリングは、自転車のフレームの一部を形成するステアリングソケット内に設けられたそれぞれの環状凹部に収容され、かつ前記ベアリングがそれぞれと組み合う各リングの支持表面上に載せられており、さらに、ステアリングソケットの上方でピボット筒体の回りに配置された端部リングを含んでいる、自転車用ステアリングセットであって、
少なくとも１つのローラベアリングは、このベアリングと前記環状凹部の底部との間に配置されたリング形状のアダプターと組み合って前記環状凹部の高さを調整し、異なる高さを有する前記ローラベアリングが前記環状凹部に適合するようにしたことを特徴としている。
【０００６】
本発明の他の構成によれば、アダプターは、一面側に、ローラベアリングの支持表面と相補的な形状の第１支持表面を有し、他面側に、アダプターが配置される環状凹部の底面の表面に相補的な形状の第２支持表面を有する。
【０００７】
さらに、このアダプターは、その周縁部に軸方向伸長カラーを含み、この軸方向伸長カラーは、ローラベアリングに対する第１支持表面を有する。また、相補的な形状が、円錐表面を形成し、また、アダプターは分割されており、各ローラベアリングと組み合う。
【０００８】
本発明は、また、自転車用ステアリングセットのためのアダプターを提供することを目的としており、このアダプターは、ステアリングソケット内の環状凹部の底部に配置されるリングによって構成され、異なる高さを有するローラベアリングに対する前記環状凹部の高さを調整することを特徴とする。
【０００９】
本発明の他の構成によれば、アダプターは、その周縁部に、ローラベアリングに対する支持表面を有する軸方向伸長カラーを形成する。
また、アダプターは、一面側に、ローラベアリングの支持表面と相補的な形状の第１支持表面を有し、他面側に、アダプターが配置される環状凹部の底面の表面に相補的な形状の第２支持表面を有する。アダプターの第１、第２支持表面は円錐形である。アダプターを形成するリングは分割されている。
【００１０】
本発明の他の特徴及び利点は、本発明を限定するものではない２つの実施形態により、図面を参照して、その記載が明らかになる。
【００１１】
【発明の実施の形態】
図１a、１ｂ及び図４は、本発明に従うステアリングセットの上側部分１の各部材を示す。この上側部分は、図面で概略示すようにローラを有するローラベアリングを含む上側ローラベアリング２を備えている。
【００１２】
このローラベアリング２は、円錐表面４を有するロックリング３と協働し、この円錐表面は、ローラベアリング２の上部内側エッジで支持体を形成する円錐表面５に対面している。
【００１３】
全体に円錐外側表面を有する端部リング６は、このリングをローラベアリング２の方向に付勢することにより、ロックリング３をローラベアリング２に被せる。また、端部リング６の円錐内側表面には、スロート７が設けられ、このスロートは、Ｏリング８（図４参照）用の凹部を形成する。端部リング６は、更に、保護用のスカート部９を備えている。
【００１４】
図４は、ピボット筒体１０の上側フォーク上に組み付けられる部材２，３，６を示し、このフォーク１０は、自転車フレーム１２の一部を形成するステアリングソケット１１に連結される。
【００１５】
ローラベアリング２を受け入れるために、ステアリングソケット１１は、上側端部に肩部１２を有し、この肩部は、ステアリングソケット１１の内部壁と環状凹部１４を形成する。ローラベアリング２は、ピボット筒体回りの環状凹部１４内に配置され、このピボット筒体の回転に対するガイド部材を構成する。
【００１６】
ローラベアリング２は、ピボット筒体１０の上側端部の回りに僅かな隙間を有して取付けられ、かつ壁面に触れることなくステアリングソケット１１を自由に回転できるようにステアリングソケット１１内の凹部１４に対して外側面に僅かな隙間を有する。
【００１７】
ローラベアリング２とピボット筒体１０の間の連結は、ロックリング３によって確実となり、ロックリングが、ローラベアリング２と端部リング６の下側表面との間をロックし、端部リング６を介してピボット筒体は、自転車のハンドルバー(図示略)を受け入れる貫通孔１６を設けたポスト１５に突出して、ポストとともに固定用表面を形成する。このポスト１５は、セットスクリュ１６’を用いてカラー(つば）のような形でピボット筒体１０に固定される。
【００１８】
図２a、２ｂ及び図４は、本発明に従うステアリングセットの下側部分１７の各部材を示す。この下側部分１７は、上側部分１に対して対称配置され、同様の部材を含んでいる。
【００１９】
このため、ステアリングセットの下側部分１７は、ステアリングソケット１１の内部壁に形成され、かつこの壁内に設けられた肩部２０を形成する環状凹部１９内に受け入れられる、いわゆる下側ローラベアリング１８を含む。
【００２０】
ローラベアリング１８とピボット筒体１０の間の連結は、ピボット筒体の下端部に形成されかつ自転車のフォーク(図示略)に連結されるフォークヘッド２３上の肩部２２によって構成される支持表面に結合して取り付けられたリング２１によって確実となる。
【００２１】
リング２１またはフォークコーンは、下側ローラベアリング１８の円錐支持体２５に載る円錐支持表面２４を含んでいる。円錐部分２４によって下側ローラベアリング１８のセンタリングを確実にする。リングは、たとえば、図４に示すように分割されている。
【００２２】
ステアリングセットの上側部分１によれば、下側ローラベアリング１８は、ピボット筒体１０の下端の回りに僅かな隙間を有して取り付けられ、かつ自由に回転可能なステアリングソケット１１の内側に設けた凹部に対して上方に僅かな隙間を有する。
【００２３】
図４に示した例では、ステアリング部材の全体のアセンブリにおける軸方向に支持する支持体が、ステアリングセットの上方に配置された手段により与えられている。この組み合わせでは、ポスト１５の仕切りを形成する１つまたは複数の中間リング、及び上部から閉鎖するようにピボット筒体１０の上側部分に最終的に上側プラグ３６が取り付けられる。
【００２４】
アセンブリをロックする間、ロックリング３は、上側ローラベアリング２の円錐上側部分に配置され、フォーク状のピボット筒体１０の上側部分を確実にガイドする。部材間に隙間を設けるために、外側リング６によって垂直方向下方の圧力が伝達される。
【００２５】
本発明によれば、少なくとも１つのローラベアリングが、ローラベアリング２，１８と対応する環状凹部１４，１９の底部との間に配置されたリングの形状をしたアダプターと組み合う。ローラベアリングの内径は、ピボット筒体１０の外径よりも大きく、その場所におけるステアリングソケット内の通路の内径よりも小さい。
【００２６】
図面に示す実施形態において、ステアリングセットは、このようなアダプター２６，２７を含み、一方のアダプター２６は、上側ローラベアリング２と組み合い、他方のアダプター２７は、下側ローラベアリング１８と組み合う。
【００２７】
各アダプター２６，２７は、ローラベアリング２，３にもたれかかる第１支持表面２８を有する。この第１支持表面２８は、アダプターの周縁部に設けた軸方向伸長カラー２９上に配置されている。
【００２８】
各アダプター２６，２７の第１支持表面２８は、図面に示す実施形態では、円錐であり、対応するローラベアリング２，１８の相補的な形状の支持表面と接触する。このため、各アダプター２６，２７は、一方側に第１支持表面２８を有し、他方側にアダプターが配置される凹部１４、１９の底部の表面に相補的な形状の第２支持表面３１を有する。
【００２９】
好ましくは、アダプターを形成するリングは、凹部の内径にうまく適合するように分割されている。さらに、このアダプターは、ステアリングソケットの軸線に対してローラベアリングの位置決めを確実にする。
【００３０】
このようにして得られたステアリングセットは、異なる高さを有するローラベアリングをこの凹部に適合させるためにローラベアリングにおける凹部の高さを調整することができるアダプターを含み、これにより、製造業者によって最初に選択されたローラベアリング以外の別のローラベアリングと置き換えることができる。
【００３１】
支持表面が機械加工される場合に、磨耗から生じる凹部の高さが減少するのを補正するためにアダプターを取り替えることは、容易である。同様に、アダプター自体が損傷を受けた場合、容易に交換することもできる。
【００３２】
もちろん、本発明は、図示しかつ記載した実施形態に制限されることなく、当業者によって予想できる全ての変更例を含むものである。ローラベアリングの一方の高さにおける減少が十分である場合、ステアリングセットにおける単一のアダプターを用いることが可能である。
【図面の簡単な説明】
【図１】図１は、ステアリングセットの上側部分の各部材を示す概略図であり、１ａは、組立て要素の分解図、１ｂは、組立て状態における長手方向断面を示す図である。
【図２】図２は、ステアリングセットの下側部分の各部材を示す概略図であり、１ａは、組立て要素の分解図、１ｂは、組立て状態における長手方向断面を示す図である。
【図３】本発明に係るアダプターを構成する図２における上側要素の底面図である。
【図４】本発明に係るステアリングセットが取付けられるステアリングソケットの軸方向一部断面を示す組立図である。
【符号の説明】
１    上側部
２    上側ローラベアリング
３    ロックリング
４,５  円錐表面
６    端部リング
７    スロート
１０    ピボット筒体
１１    ステアリングソケット
１２    フレーム
１４,１９  環状凹部
１５    ポスト
１７    下側部分
１８    下側ローラベアリング
２０,２２  肩部
２６,２７  アダプター
２８    第１支持表面
２９    軸方向伸長カラー
３１    第２支持表面
【図１】
0004337112.tif 000002
【図２】
0004337112.tif 000003
【図３】
0004337112.tif 000004
【図４】
0004337112.tif 000005